(57)【要約】【課題】  カメラボディのマイコンのリセット動作を実行したとしても、カメラボディのマイコンとレンズのマイコンとの間で状態のずれが生じないように、レンズのマイコンも一緒にリセット動作を行う。【解決手段】  本発明によると、カメラ内部の都合で、カメラ内のマイコンをリセットしなければならない状態が生じた場合、カメラ側マイコンが、リセット処理を実行し、その中で、レンズに供給している電源を切断するようにする。その後、電源を投入すれば、レンズ内では、電源投入リセットが自動的に掛かり、カメラとレンズ双方のリセットを掛けることが可能となる。  このようにして、カメラとレンズの電気的接点を増やすことなく全てのレンズに共通にリセットする仕組みを実現できる。【選択図】  図１
2007047485.tif 000002
【特許請求の範囲】
【請求項１】
レンズが着脱可能な、一眼レフカメラにおいて、レンズに供給している電源回路に供給を切断する回路を設け、レンズ側マイコンに供給される電源をカメラ側から切断し、電源を再投入し、レンズ側マイコンにリセットを掛ける事を特徴とする電子カメラ。
【請求項２】
請求項１において、カメラがロック状態のとき、レンズ側に供給される電源をカメラから切断しておく事を特徴とする電子カメラ。
【発明の詳細な説明】
【技術分野】
【０００１】
本発明は、カメラとレンズの両方にマイコンが搭載されているカメラシステムのリセット動作制御に関するものである。
【背景技術】
【０００２】
レンズが着脱可能な、一眼レフカメラでは、カメラとレンズの両方にマイコンが搭載されている。そして、電源投入時にはカメラとレンズとの両方のマイコンにリセット動作を行うことが知られている。（特許文献１参照）
図２は、カメラとレンズの両方にマイコンが搭載されているカメラシステムの回路を説明する図である。
【０００３】
２０１はレンズ側接点ブロックである。２０２はレンズ側マイクロコンピュータである。２０３はリセットＩＣであり、レンズ側マイコンの電源電圧ＶＤＤ２が所定電圧を超えるまで、レンズ側マイコン２０２のリセットをする。２０４はカメラ側接点ブロックである。２０５はレンズ側にＶＤＤ２を供給するためのＦＥＴである。２０７はカメラ側マイコンをリセットするためのリセットＩＣである。２０８はカメラ側マイコンである。２０９はプルアップ抵抗であって、レンズが取り外されている状態でＦＥＴ２０５をＯＦＦさせる。
【０００４】
図２の回路において、ＶＤＤ２ＯＮのポートにＨレベルを出すとＧＮＤにショートしてしまうためＶＤＤ２を切断することが出来ない。このため、入力としてレンズが付いているか否かを読み出すことのみ可能で電源の切断は出来ない構成になっている。したがって、レンズ側マイコンをリセットすることが出来ない。レンズは、情報が変化したと通知する事が出来ず、カメラは何の情報も取得できない。
【特許文献１】特開平９−２１１６５１号公報
【発明の開示】
【発明が解決しようとする課題】
【０００５】
カメラ側のマイコンのリセットする場合、カメラ側のマイコンとレンズ側のマイコンとの間で状態のずれが生じないように、レンズ側のマイコンも一緒にリセットしなくてはならない。
【０００６】
しかしながら、上述した従来技術では、レンズのマイコンのリセット動作は、レンズをカメラボディに取り付けた時に電源投入リセットが、一度動作するのみで、カメラ側からは制御できないようになっている。したがって、レンズのマイコンのリセット端子はカメラボディのマイコンからは制御できずに、カメラボディのマイコンとレンズのマイコンとの間で状態のずれが生じる可能性があった。
【０００７】
本発明は、カメラボディのマイコンのリセット動作を実行したとしても、カメラボディのマイコンとレンズのマイコンとの間で状態のずれが生じないように、レンズのマイコンも一緒にリセット動作を行うような構成を実現するものである。
【課題を解決するための手段】
【０００８】
本発明によると、カメラ内部の都合で、カメラ内のマイコンをリセットしなければならない状態が生じた場合、レンズ側マイコンのリセットもしなければならないが、レンズとカメラの間の伝達信号にレンズ側のマイコンのリセット信号が含まれていないため、このままではできない。
【０００９】
レンズに供給している電源回路に供給を切断する回路を設け、カメラ側マイコンが、リセット処理を実行し、その中で、レンズに供給している電源を切断するようにする。その後、電源を投入した時、レンズ内では、電源投入リセットが自動的に掛かり、カメラとレンズ双方のリセットを掛けることが可能となる。
【００１０】
これは、カメラとレンズの電気的接点を増やすことなく全てのレンズに共通にリセットする仕組みを実現したものである。
【発明の効果】
【００１１】
本発明によれば、カメラとレンズ間のインターフェイスに大きな変更をすることなくレンズ側マイコンをリセットする事が出来、カメラ側の都合でカメラ側マイコンのリセットを行った場合でもレンズ側マイコンのリセットを簡単に行う事が可能となり、カメラとレンズマイコンの状態ずれを回避可能となる。
【発明を実施するための最良の形態】
【００１２】
図１は本発明を一眼レフレックス電子カメラに適用して実施した回路例である。
【００１３】
図１において、１０１はレンズ側接点ブロックである。１０２はレンズ側マイクロコンピュータである。
【００１４】
１０３はリセットＩＣであり、レンズ側マイコンの電源電圧ＶＤＤ２が所定電圧を超えるまで、レンズ側マイコン１０２のリセットをする。１０４はカメラ側接点ブロックである。１０５はレンズ側にＶＤＤ２を供給するためのＦＥＴである。１０６はＶＤＤ２を急速にディスチャージするためのＦＥＴである。１０７はカメラ側マイコンをリセットするためのリセットＩＣである。１０８はカメラ側マイコンである。
【００１５】
１０９はプルアップ抵抗であり、レンズが取り外されている状態でＦＥＴ１０５をＯＦＦさせる。１１０はカメラ側マイコンがレンズ取り付け状態の時に、ＦＥＴ１０５をＯＦＦ信号を出せるようにする抵抗。
【００１６】
１１１はＶＤＤ２を急速にディスチャージする時の負荷抵抗である。１１２はＦＥＴ１０６をＯＦＦさせるため抵抗。
【００１７】
まず、レンズを取り付けると、接点１０４−１がレンズ側接点ブロック１０１によってＧＮＤにつながり、ＦＥＴ１０５のゲートの電位がほぼＧＮＤとなって、ＦＥＴ１０５がオンする。すると、ＶＤＤ２が供給され、レンズ側マイコン１０２に電源が供給される。同時にリセットＩＣ１０３が働き、レンズ側マイコン１０２のリセットが解除されレンズが動作可能となる。
【００１８】
その後、ＭＩＳＯ，ＭＯＳＩ，ＳＣＬＫの信号によって通信を行い様々な制御を行う。
【００１９】
制御の例としてまず、表１のコマンドを使いレンズの中でどのようなことが変化したかを調べ、変化した内容に対応した処理を行う。このコマンドはレンズの中で変化した内容を調べるために用いられる。表２には、どのような内容が変化したのかを記載している。実際には全てのビットが割り当ててあるが、説明を簡単にするため減らしてある。表２に従い変化した内容に対応した処理を行う。レンズ内のマイコンにリセットが掛かると、全ての情報が変化したと通知してくるので、全ての処理を行う。
【００２０】
この例では、ステータスの変化、焦点距離変化、ＡＶ値変化となっているので、ステータス、焦点距離、ＡＶ値の読み出しを行う。
【００２１】
これと同じ動作をカメラ側の都合でレンズにリセットを掛けることで行うには、ＶＤＤ２ＯＮのポートを出力に切り換えＨレベルの出力をする、こうすると、ＦＥＴ１０５がＯＦＦし、レンズへの電源が切断される。次に、ＦＥＴ１０６をオンさせるため、ＦＥＴ１０６のゲートに、Ｈレベルを出力する。
【００２２】
これで、ＶＤＤ２のラインにはＶＤＤが遮断され抵抗１１１を介しＧＮＤが接続される。この状態をしばらく維持した後、ＦＥＴ１０６のゲートをＬレベルにし、ＶＤＤ２ＯＮポートを入力に戻す。
【００２３】
こうする事で、ＶＤＤ２には、再び電源が供給され、ＲＥＳＥＴＩＣ１０３によってレンズ側マイコンにリセットがかけられ、レンズ側マイコンが動作可能な状態となり、通信を行うと、全ての情報が変化したと通知してくる。これで、レンズを取り付けし直したと同じ状態を再現可能となるのである。
【００２４】
また、この発明は、省エネのため、カメラのスイッチがロック状態（不図示）の時、レンズ側の電源を切っておくというのにも、応用可能である。
【００２５】
【表１】
2007047485.tif 000003
【００２６】
【表２】
2007047485.tif 000004
【図面の簡単な説明】
【００２７】
【図１】本発明の実施形態の電気回路を表した回路図である。
【図２】従来例の電気回路を表した回路図である。
【符号の説明】
【００２８】
１０５  レンズ側にＶＤＤ２を供給するためのＦＥＴ
１０６  ＶＤＤ２を急速にディスチャージするためのＦＥＴ
１１２  ＦＥＴ１０６をＯＦＦさせる抵抗
【図１】
2007047485.tif 000005
【図２】
2007047485.tif 000006